(57)【要約】      （修正有）【課題】長さを調整する機能を有し、車椅子への装着が容易で、かつ、車椅子からの脱着も容易であり、車椅子を片手で押すことが可能な、各種寸法の車椅子にも対応できる手押し用横杆、および手押し用横杆付車椅子を提供する。【解決手段】手押し用横杆１０の構造は、２個の固定用ベルト５ａ、５ｂが付属された第１の勘合部１ａから、第１のパイプ２が配置され、第１のパイプ２の先端部に結合調節部４が配置された第１の横杆部と、２個の固定用ベルト５ｃ、５ｄが付属された第２の勘合部１ｂから、第２のパイプ３が配置された第２の横杆部とで構成された手押し用横杆とする。【選択図】図１
0003201835.tif 000002
【実用新案登録請求の範囲】
【請求項１】
固定用ベルトが付属された第１の勘合部から、第１のパイプが配置され、前記第１のパイプの先端部に結合調節部が配置された第１の横杆部と、
固定用ベルトが付属された第２の勘合部から、第２のパイプが配置された第２の横杆部とで構成された手押し用横杆であって、
前記第２の横杆部での第２のパイプが、前記第１の横杆部での結合調節部の中空部に入り固定されており、
前記第１の勘合部の勘合面は、湾曲面であり、前記第２の勘合部の勘合面は、湾曲面であり、
前記第１の勘合部と、前記第２の勘合部との間の寸法は、前記結合調節部により第２のパイプとの相対位置が調節されて、任意の寸法に設定されたことを特徴とする手押し用横杆。
【請求項２】
固定用ベルトが付属された第１の勘合部に、自由に曲げられる第１のジョイント部 が設置され、前記自由に曲げられる第１のジョイント部から、第１のパイプが配置され、前記第１のパイプの先端部に結合調節部が配置された第１の横杆部と、
固定用ベルトが付属された第２の勘合部に、自由に曲げられる第２のジョイント部が設置され、前記自由に曲げられる第２のジョイント部から、第２のパイプが配置された第２の横杆部とで構成された手押し用横杆であって、
前記第２の横杆部での第２のパイプが、前記第１の横杆部での結合調節部の中空部に入り固定されており、
前記第１の勘合部の勘合面は、湾曲面であり、前記第２の勘合部の勘合面は、湾曲面であり、
前記第１の勘合部と、前記第２の勘合部との間の寸法は、前記結合調節部により第２のパイプとの相対位置が調節されて、任意の寸法に設定されたことを特徴とする手押し用横杆。
【請求項３】
前記固定用ベルトは、第１の勘合部、および第２の勘合部において、少なくとも２個以上付属されており、前記第１の勘合部、および第２の勘合部の周囲に沿って、曲げることが可能で、相互に密着固定する機能を持ち、前記第１の勘合部、第２の勘合部が車椅子のハンドル等の対象物に固定されたことを特徴とする請求項１または２記載の手押し用横杆。
【請求項４】
前記第１のパイプ、あるいは、前記第２のパイプには、フックが配置されており、外部の手荷物が、前記フックによって、保持されたことを特徴とする請求項１または３のいずれか１項記載の手押し用横杆。
【請求項５】
前記自由に曲げられる第１のジョイント部、および前記自由に曲げられる第２のジョイント部は、蛇腹状継ぎ手、あるいはゴム製の継ぎ手であることを特徴とする請求項２または４のいずれか１項記載の手押し用横杆。
【請求項６】
請求項１または５記載のいずれかの１項の手押し用横杆の第１の勘合部が、車椅子の片方のハンドルに、固定用ベルトによって固定され、第２の勘合部が、前記車椅子の他の片方のハンドルに、固定用ベルトによって固定されたことを特徴とする手押し用横杆付車椅子。
【請求項７】
前記手押し用横杆付車椅子は、折りたたみ型の車椅子であって、請求項１または３記載のいずれかの手押し用横杆の第１の勘合部と第２の勘合部の長さを、最小寸法から、長さを増加させて、前記折りたたみ型の車椅子の左右のハンドルの間隔に合わせ、
また、第１の勘合部と第２の勘合部の角度を、第１のジョイント部、および第２のジョイント部を用いて調節し、組み立てた車椅子の左右のハンドルに、前記手押し用横杆が装着されたことを特徴とする請求項６記載の手押し用横杆付車椅子。
【考案の詳細な説明】
【技術分野】
【０００１】
本発明は、車椅子への装着が容易で、かつ、車椅子からの脱着が容易で、片手で、車椅子を押すことが可能な、手押し用横杆、および手押し用横杆付車椅子に関し、特に折りたたみタイプの車椅子への適用に優れているものである。
【背景技術】
【０００２】
従来の車椅子には、介護者である押す人に対して、右側のハンドル、および左側のハンドルが配置されており、介護者は、右側のハンドル、および左側のハンドルを手でつかみ、
前記ハンドルの押し具合によって、車椅子の前進、後進、および右まわる、左まわりを行っていた。前記のような介護者の動作は、両手を使用することが必要であった。
そこで、介護者が片手でも、車椅子を操作できるように手押し用横杆を装着する車椅子について各種公開特許が公開されている。
【０００３】
特許文献１には、車椅子のハンドルと結合した、湾曲した中空軸に、横棒ハンドルグリップを一体化させた、横棒ハンドルグリップオプションについて記載されている。
特許文献２には、車椅子のグリップ部に装着された、車椅子の折りたたみに対応するように幅方向水平ハンドルについて記載されている。
特許文献３には、電動車椅子の左右のグリップに、横方向に設置される連結ロッドについて記載されている。
特許文献４には、折りたたみ可能な車椅子に、パイプの結合によって、設置が可能な、手押し用の横桿について記載されている。
【先行技術文献】
【特許文献】
【０００４】
【特許文献１】特開平10‐108881
【特許文献２】特開2000‐316912
【特許文献３】特開2009‐011372
【特許文献４】実用新案登録0002580211
【考案の概要】
【考案が解決しようとする課題】
【０００５】
特許文献１，２，３，４に記載された横棒ハンドルグリップは、特定の寸法の車椅子のみに対応するものであって、１つの横棒ハンドルグリップを、各種の寸法の車椅子のハンドルには、対応できないという欠点があった。
また、横棒ハンドルグリップを車椅子に固定する機構が、複雑であるという欠点があった。
【０００６】
本発明の課題は、長さを調整する機能を有し、車椅子への装着が容易で、かつ、車椅子からの脱着も容易であり、車椅子を片手で押すことが可能な、各種寸法の車椅子、さらにハンドル部に角度ずれに対応できる、特に折りたたみ型車椅子に最適な手押し用横杆、および手押し用横杆付車椅子を提供することである。
【課題を解決するための手段】
【０００７】
本発明の請求項１に係る発明は、固定用ベルトが付属された第１の勘合部から、第１のパイプが配置され、前記第１のパイプの先端部に結合調節部が配置された第１の横杆部と、
固定用ベルトが付属された第２の勘合部から、第２のパイプが配置された第２の横杆部とで構成された手押し用横杆であって、前記第２の横杆部での第２のパイプが、前記第１の横杆部での結合調節部の中空部に入り固定されており、前記第１の勘合部の勘合面は、湾曲面であり、前記第２の勘合部の勘合面は、湾曲面であり、前記第１の勘合部と、前記第２の勘合部との間の寸法は、前記結合調節部により第２のパイプとの相対位置が調節されて、任意に設定されたことを特徴とする手押し用横杆である。
【０００８】
本発明の請求項２に係る発明は、固定用ベルトが付属された第１の勘合部から、自由に曲げられる第１のジョイント部 を設置し、前記自由に曲げられる第１のジョイント部から、第１のパイプが配置され、前記第１のパイプの先端部に結合調節部が配置された第１の横杆部と、固定用ベルトが付属された第２の勘合部から、自由に曲げられる第２のジョイント部
を設置し、前記自由に曲げられる第２のジョイント部から、第２のパイプが配置された第２の横杆部とで構成された手押し用横杆であって、前記第２の横杆部での第２のパイプが、前記第１の横杆部での結合調節部の中空部に入り固定されており、前記第１の勘合部の勘合面は、湾曲面であり、前記第２の勘合部の勘合面は、湾曲面であり、前記第１の勘合部と、前記第２の勘合部との間の寸法は、前記結合調節部により第２のパイプとの相対位置が調節されて、任意に設定されたことを特徴とする手押し用横杆である。
【０００９】
本発明の請求項３に係る発明は、前記固定用ベルトは、第１の勘合部、および第２の勘合部において、少なくとも２個以上付属されており、前記第１の勘合部、および第２の勘合部の周囲に沿って、曲げることが可能で、相互に密着固定する機能を持ち、前記第１の勘合部、第２の勘合部が車椅子のハンドル等の対象物に固定されたことを特徴とする請求項１または２記載の手押し用横杆である。
【００１０】
本発明の請求項４に係る発明は、前記第１のパイプ、あるいは、前記第２のパイプには、フックが配置されており、外部の手荷物が、前記フックによって、保持されたことを特徴とする請求項１または３のいずれか１項記載の手押し用横杆である。
【００１１】
本発明の請求項５に係る発明は、前記自由に曲げられる第１のジョイント部、および前記自由に曲げられる第２のジョイント部は、蛇腹状継ぎ手、あるいはゴム製の継ぎ手であることを特徴とする請求項２または４のいずれか１項記載の手押し用横杆である。
【００１２】
本発明の請求項６に係る発明は、請求項１または５記載のいずれかの１項の手押し用横杆の第１の勘合部が、車椅子の片方のハンドルに、固定用ベルトによって固定され、第２の勘合部が、前記車椅子の他の片方のハンドルに、固定用ベルトによって固定されたことを特徴とする手押し用横杆付車椅子である。
【００１３】
本発明の請求項７に係る発明は、前記手押し用横杆付車椅子は、折りたたみ型の車椅子であって、請求項１または３記載のいずれかの手押し用横杆の第１の勘合部と第２の勘合部の長さを、最小寸法から、長さを増加させて、前記折りたたみ型の車椅子の左右のハンドルの間隔に合わせ、また、第１の勘合部と第２の勘合部の角度を、第１のジョイント部、および第２のジョイント部を用いて調節し、組み立てた車椅子の左右のハンドルに、前記手押し用横杆が装着されたことを特徴とする請求項６記載の手押し用横杆付車椅子である。
【考案の効果】
【００１４】
請求項１に係る手押し用横杆によれば、長さを調整する機能を有し、車椅子への装着が容易で、かつ、車椅子からの脱着も容易である手押し用横杆を提供できる。
【００１５】
請求項２に係る手押し用横杆によれば、車椅子のハンドルに角度のずれがあっても、確実に、車椅子のハンドルに固定できる手押し用横杆を提供できる。
【００１６】
請求項３に係る手押し用横杆によれば、勘合部を確実に、車椅子のハンドルに固定できる手押し用横杆を提供できる。
【００１７】
請求項４に係る手押し用横杆によれば、手荷物を保持することができる手押し用横杆を提供できる。
【００１８】
請求項５に係る手押し用横杆によれば、自由に曲げられるジョイント部によって、
車椅子のハンドルに角度のずれがあっても、確実に、車椅子のハンドルに固定できる手押し用横杆を提供できる。
【００１９】
請求項６に係る手押し用横杆付車椅子によれば、手押し用横杆によって、介護者が片手で操作できる手押し用横杆付車椅子を提供できる。
【００２０】
請求項７に係る手押し用横杆付車椅子によれば、特に折りたたみ型車椅子に対応できる
手押し用横杆によって、介護者が片手で操作できる手押し用横杆付車椅子を提供できる。
【００２１】
本発明によれば、長さを調整する機能を有し、車椅子への装着が容易で、かつ、車椅子からの脱着も容易であり、車椅子を片手で押すことが可能な、各種寸法の車椅子、さらにハンドル部に角度ずれに対応できる、特に折りたたみ型車椅子に最適な手押し用横杆、および手押し用横杆付車椅子を提供することができる。
【図面の簡単な説明】
【００２２】
【図１】実施例１の手押し用横杆の図。
【図２】図１の手押し用横杆の６面図。図１（ａ）は、正面図、図１（ｂ）は、背面図、図１（ｃ）は、上面図、図１（ｄ）は、底面図、図１（ｅ）は、右側面図、図１（ｆ）は、左側面図である。
【図３】実施例２の手押し用横杆付車椅子の図で、車椅子が固定型の場合。
【図４】図３の手押し用横杆付車椅子の、一部の拡大図。
【図５】実施例３の手押し用横杆付車椅子の図で、車椅子が折りたたみ型の場合。
【図６】図５の折りたたみ型車椅子の、ハンドル部分の角度のずれに関する図。
【図７】図５の手押し用横杆付車椅子の、一部の拡大図。
【考案を実施するための形態】
【００２３】
本発明の実施の形態による手押し用横杆は、固定用ベルトが付属された第１の勘合部から、第１のパイプが配置され、前記第１のパイプの先端部に結合調節部が配置された第１の横杆部と、固定用ベルトが付属された第２の勘合部から、第２のパイプが配置された第２の横杆部とで構成された手押し用横杆であって、前記第２の横杆部での第２のパイプが、前記第１の横杆部での結合調節部の中空部に入り固定されており、前記第１の勘合部の勘合面は、湾曲面であり、前記第２の勘合部の勘合面は、湾曲面であり、前記第１の勘合部と、前記第２の勘合部との間の寸法は、前記結合調節部により第２のパイプとの相対位置が調節されて、任意に設定された手押し用横杆である。
【００２４】
また、本発明の実施の形態による手押し用横杆は、固定用ベルトが付属された第１の勘合部から、自由に曲げられる第１のジョイント部
を設置し、前記自由に曲げられる第１のジョイント部から、第１のパイプが配置され、前記第１のパイプの先端部に結合調節部が配置された第１の横杆部と、固定用ベルトが付属された第２の勘合部から、自由に曲げられる第２のジョイント部
を設置し、前記自由に曲げられる第２のジョイント部から、第２のパイプが配置された第２の横杆部とで構成された手押し用横杆であって、前記第２の横杆部での第２のパイプが、前記第１の横杆部での結合調節部の中空部に入り固定されており、
前記第１の勘合部の勘合面は、湾曲面であり、前記第２の勘合部の勘合面は、湾曲面であり、前記第１の勘合部と、前記第２の勘合部との間の寸法は、前記結合調節部により第２のパイプとの相対位置が調節されて、任意に設定された手押し用横杆である。
【００２５】
ここで、前記固定用ベルトは、第１の勘合部、および第２の勘合部において、少なくとも２個以上付属されており、前記第１の勘合部、および第２の勘合部の周囲に沿って、曲げることが可能で、相互に密着固定する機能を持ち、前記第１の勘合部、第２の勘合部が車椅子のハンドル等の対象物に固定されている。
【００２６】
ここで、前記第１のパイプ、あるいは、前記第２のパイプには、フックが配置されており、外部の手荷物が、前記フックによって、保持されたことを特徴とする。
【００２７】
前記自由に曲げられる第１のジョイント部、および前記自由に曲げられる第２のジョイント部は、蛇腹状継ぎ手、あるいはゴム製の継ぎ手であり、これらには限られない。
【００２８】
本発明の実施の形態による実施の形態による手押し用横杆付車椅子は、前記に記載したいずれかの手押し用横杆の第１の勘合部が、車椅子の片方のハンドルに、固定用ベルトによって固定され、第２の勘合部が、前記車椅子の他の片方のハンドルに、固定用ベルトによって固定された手押し用横杆付車椅子である。
【００２９】
ここで、前記手押し用横杆付車椅子は、折りたたみタイプの車椅子であって、前記記載のいずれかの手押し用横杆の第１の勘合部と第２の勘合部の長さを、最小寸法から、長さを増加させて、前記折りたたみタイプの車椅子の左右のハンドルの間隔に合わせ、
また、第１の勘合部と第２の勘合部の角度を、第１のジョイント部、および第２のジョイント部を用いて調節し、組み立てた車椅子の左右のハンドルに、前記手押し用横杆が装着された手押し用横杆付車椅子である。
【００３０】
（実施例１）
図１は、実施例１の手押し用横杆の図である。
手押し用横杆１０の構造は、２個の固定用ベルト５a、５ｂが付属された第１の勘合部１aから、第１のパイプ２が配置され、前記第１のパイプの先端部に結合調節部４が配置され
た第１の横杆部と、２個の固定用ベルト５ｃ、５ｄが付属された第２の勘合部１ｂから、第２のパイプ３が配置された第２の横杆部とで構成されている。
【００３１】
前記第２の横杆部での第２のパイプ３が、前記第１の横杆部での結合調節部４の中空部に入り、締め付けリング４１によって、第２のパイプ３の位置が、対象物の間隔に対応して調節可能であって、第１の勘合部１aと、第２の勘合部１ｂとの間の寸法Ｌが任意に調節できる。
【００３２】
ここで、第１の勘合部１aの勘合面１１a、および第２の勘合部１ｂの勘合面１１ｂは、
図１に示すような、円弧状であって、対象物に適合する面の形状としている。
第１の勘合部１aの勘合面１１aと反対側には、第１のパイプ２との接合用のリング部分が形成されており、同様に第２の勘合部１ｂの勘合面１１ｂと反対側には、第２のパイプ３との接合用のリング部分が形成されている。
【００３３】
固定ベルト５a、５ｂ、５ｃ、５ｄは、取り付け対象となる、車椅子のハンドルに、第１の勘合部１a、第２の勘合部１ｂ、を固定するように、外周部分を取り巻いて、固定する機能を有する。
また、前記第１のパイプ２には、フック６が配置されており、外部の手荷物等が、前記フック６によって、保持することが可能である。
【００３４】
図２は、図１の手押し用横杆の６面図である。
図１（ａ）は、正面図、図１（ｂ）は、背面図、図１（ｃ）は、上面図、図１（ｄ）は、底面図、図１（ｅ）は、右側面図、図１（ｆ）は、左側面図である。
ここで、２００は中空穴であり、また３００は、固定用ベルトの固定部分である
【００３５】
（実施例２）
図３は、実施例２の手押し用横杆付車椅子の図である。ここで、車椅子２０は、固定型の車椅子である。車椅子２０の、車椅子の左ハンドル９aと、車椅子の右ハンドル９ｂの間に、実施例１で記載した手押し用横杆１０を配置している。
手押し用横杆１０を配置する手順は、４  結合調節部によって、第１の勘合部１aと、第２の勘合部１ｂとの間の寸法Ｌを、前記車椅子の左ハンドル９aと、車椅子の右ハンドル９ｂの間隔よりも、十分小なる寸法に調整し、その後、寸法Ｌを伸ばしていき、図３の拡大図に示ように、勘合部を、固定ベルト５a、５ｂによって、周囲を巻き付けて、固定する。
図２に示すように、フック６に、手荷物１００を吊すことが可能である。
【００３６】
このように、どのような寸法の車椅子に対しても、長さを調整する機能を有し、車椅子への装着が容易で、かつ、車椅子からの脱着も容易である。
手押し用横杆１０によって、車椅子２０を片手で押すことが可能となり、介護者の負担を軽減することができる。
図４は、図３の手押し用横杆付車椅子の、一部の拡大図である。第１の勘合部１ａが、固定ベルト５a、５ｂによって、車椅子のハンドル９ａに固定されている。
【００３７】
（実施例３）
図５は、実施例３の手押し用横杆付車椅子の図である。ここで、車椅子２１は、折りたたみ型の車椅子である。車椅子２０の、車椅子の左ハンドル９aと、車椅子の右ハンドル９ｂの間に、実施例１で記載した手押し用横杆１０を配置している。
手押し用横杆１０を配置する手順は、４  結合調節部によって、第１の勘合部１aと、第２の勘合部１ｂとの間の寸法Ｌを、前記車椅子の左ハンドル９aと、車椅子の右ハンドル９ｂの間隔よりも、十分小なる寸法に調整し、その後、寸法Ｌを伸ばしていき、さらに
蛇腹継ぎ手（図示なし）によって、第１の勘合部１aと、第２の勘合部１ｂの角度を調整していき、車椅子２１のハンドル９ａ、９ｂの角度にずれに対応し、図７の拡大図に示ように、勘合部を、固定ベルト５a、５ｂによって、周囲を巻き付けて、固定する。
図５に示すように、フック６に、手荷物１００を吊すことが可能である。
【００３８】
図６は、図５の折りたたみ型車椅子の、ハンドル部分9ａ、９ｂの角度のずれに関する図である。図７は、図５の手押し用横杆付車椅子の、一部の拡大図である。
図７にて、手押し用横杆の第１の勘合部１ｃと、第１のパイプ２との間に、自由に曲げられるジョイント部として、蛇腹継ぎ手４００が設けられている。図示していないが、反対側の第２の勘合部と、第２のパイプとの間にも、自由に曲げられるジョイント部として、蛇腹継ぎ手が設けられている。
【００３９】
前記蛇腹継ぎ手によって、勘合部とパイプとの角度の調整が可能となり、図６に示すような、ハンドル部分9ａ、９ｂの角度のずれに対応して、勘合部を、車椅子のハンドル部に固定することが可能となる。
なお、前記蛇腹継ぎ手は、他の例として、ゴム製の継ぎ手でも良い。
【産業上の利用可能性】
【００４０】
本発明によれば、長さを調整する機能を有し、車椅子への装着が容易で、かつ、車椅子からの脱着も容易であり、車椅子を片手で押すことが可能な、各種寸法の車椅子、さらにハンドル部に角度ずれに対応できる、特に折りたたみ型車椅子に最適な手押し用横杆、および手押し用横杆付車椅子を提供することが可能となり、介護の現場での、介護者の負担の軽減、および介護事業の支援に寄与することができる。
【符号の説明】
【００４１】
１ａ、１ｃ  第１の勘合部
１ｂ  第２の勘合部
１１ａ、１１ｂ    勘合面
２  第１のパイプ
３  第２のパイプ
１０  手押し用横杆
２０  固定型の車椅子
２１  折りたたみ型の車椅子
４  結合調節部
４１  締め付けリング
５a、５ｂ、５ｃ、５ｄ    固定用ベルト
６  フック
１１a、１１ｂ  勘合面
９a      車椅子の左ハンドル
９ｂ      車椅子の右ハンドル
１００  手荷物
Ｌ    第１の勘合部１aと、第２の勘合部１ｂとの間の寸法
２００  中空穴
３００  固定用ベルトの固定部分
４００  蛇腹継ぎ手
θ    車椅子の右ハンドル、左ハンドルのずれ角度
【図１】
0003201835.tif 000003
【図２】
0003201835.tif 000004
【図３】
0003201835.tif 000005
【図４】
0003201835.tif 000006
【図５】
0003201835.tif 000007
【図６】
0003201835.tif 000008
【図７】
0003201835.tif 000009